【事件の表示】
　平成　８年特許願第２８８７２８号「遊技機の帯電防止装置」拒絶査定不服審判事件〔平成１０年　５月１９日出願公開、特開平１０−１２７８９９〕について、次のとおり審決する。
【結　論】
　本件審判の請求は、成り立たない。
【理　由】
１　手続の経緯
　本願は、平成８年１０月３０日の出願であって、平成１６年９月１５日付で拒絶査定がなされたところ、これに対し、同年１１月２日に拒絶査定に対する審判が請求されるとともに、同日付で手続補正がなされたものである。
　
２　平成１６年１１月２日付の手続補正についての補正却下の決定
　
［補正却下の決定の結論］
　平成１６年１１月２日付の手続補正を却下する。
　
［理由］
（１）補正後の本願発明
　平成１６年１１月２日付の手続補正（以下、「本件補正」という）により、特許請求の範囲の請求項１は、次のとおりに補正された。
　
　「パチンコ店の島に取り付けられる機枠における前枠の裏面には遊技盤を装着する金属製のリヤープレートが設けられ、前枠の前側には発射する玉および賞球払出機構より払い出される玉を玉収容部に貯留する上皿セットと上皿セットの玉収容部より溢れた玉を玉収容部に貯留すると共に当該玉収容部に貯留された玉をシャッターの開動作で玉収容部より外部に排出する下皿セットとが設けられ、前枠の裏面には下皿セットの玉収容部より溢れた玉を下皿セットの玉収容部に誘導する流しセットが設けられた遊技機の帯電防止装置であって、前枠の下側前壁には貫通口が設けられ、下皿セットは長方形のベースとベースの前側に取り付けられたメインとメインに取り付けられたサブとから構成され、下皿セットのベースが流しセットから誘導される玉を受け入れる玉流入口部を有し、メインが玉収容部の底部とその周縁より立ち上げる下側周壁と上記玉収容部に貯留された玉をシャッターの開動作で玉収容部より外部に排出する落下孔とを有し、サブが玉収容部の上下と後方とに開口した上側周壁を有し、下皿セットにおけるベースの玉流入口部およびメインの
玉
以外の部分
玉
玉
の上に重ね合わせられて玉流入口部
、
　
　上記補正は、平成１６年４月１６日付の手続補正書の特許請求の範囲の請求項１に記載された「流しセットの玉排出口部が・・・下皿セットの玉流入口部に接続され」との発明特定事項について、「流しセットの玉排出口部が・・・下皿セットの玉流入口部
の上に重ね合わせられて玉流入口部
　なお、本件補正後の請求項１に記載されている「下皿セットの玉収容部より溢れた玉」が「上皿セットの玉収容部より溢れた玉」の誤記であるのは明らかであるので、本願補正発明は、本件補正後の請求項１の記載にかかる訂正を加えたものと認める。
　
（２）引用例
　原査定の拒絶の理由に引用された特開平７−１４４０５７号公報（以下、「引用例１」という）には、図面とともに、以下の事項が記載されている。
　
　ア．「【００１１】【実施例】次に、本発明の好適な一実施例を説明する。図１は本発明の遊技機としてのパチンコ機１０の正面図であり、周知の遊技盤１２を備えている。遊技盤１２の前面側はほぼプラスチック製のガラス枠１４に装着された二重のガラス１６ａ、１６ｂで覆われており、・・・
【００１２】このガラス枠１４は、ほぼ全体がプラスチック製の前面枠２２に保持されているが、ガラス枠１４の開口部１４ａと前面枠２２の矩形開口２２ａとはほぼ整合しており、ガラス枠１４の開口部１４ａの外側部分が前面枠２２によって被覆されている。」
　イ．「【００１４】前面枠２２の下方には、ほぼ全体がプラスチック製で、上受け皿３０および下受け皿３２が一体的に設けられた皿部材３４が配されている。上受け皿３０および下受け皿３２には、それぞれにパチンコ機１０内部からの遊技球を排出するための上皿排出口３６および下皿排出口３８が開口している。・・・」
　ウ．「【００１６】図２に示すように、遊技盤１２は図示左側の上下に切り欠きを有する略長方形である。この遊技盤１２は、ほぼプラスチック製の本体枠４４にヒンジ４６、４６を介して装着された裏盤４８に保持されている。・・・」
　エ．「【００２２】・・・また本体枠４４の下辺に沿って裾板８４が係合されており、本体枠４４の底部に形成された凹部（図示略）内には、一対のスペーサ８６、８６が収納されている。これらのスペーサ８６、８６は、パチンコ機１０を遊技機設置島（以下、単に島という）に設置する際の釘打ちを確実ならしめると共に釘打ちによる本体枠４４の破損を防止するためのものであるが、・・・」
　オ．「【００２３】図６に示すように、ヒンジ４６、４６（図６には上方の１個のみ示す）を介して本体枠４４に装着されている裏盤４８および迫出しヒンジ７４、７４（図６には上方の１個のみ示す）を介して本体枠４４に装着されている前面枠２２は、それぞれヒンジ４６、４６、迫出しヒンジ７４、７４を軸として本体枠４４に対して開閉揺動可能である。」
　カ．「【００２９】図１１に示すように、これら左右縁部１２６、１２８間には板状部１３０が連接されており、全体として皿部材３４の心材として機能する心部材１３２となっている。図１０および図１１に示すように、下受け皿３２には遊技球を貯留するための略矩形のプール状部３２ａが設けられており、プール状部３２ａの内周面３２ｂは導電性プラスチック製である。この内周面３２ｂには図示省略するアース部材が装着されており、このアース部材を例えば島に設けられているアース線（図示略）と接続することにより内周面３２ｂを接地することができる。またプール状部３２ａの底部には玉抜き穴１３４が設けられており、プール状部３２ａの底面は玉抜き穴１３４に向かって傾斜している。この玉抜き穴１３４は、下受け皿３２の下面側に設置された玉抜きレバー１３６を介して開閉操作され、開いた際には下受け皿３２の遊技球を玉抜き穴１３４から排出できる。さらに下受け皿３２の左側には、水平回転軸を有し鉛直面に沿って回動可能な周知の灰皿１３８が設置されている。
【００３０】このように、プール状部３２ａの内周面３２ｂを導電性プラスチック製としているので、この内周面３２ｂに直接または他の遊技球を介して間接に接触する遊技球を内周面３２ｂ→アース部材→アース線の経路で接地して、遊技球の静電気を効率よく除電できる。このため、下受け皿３２から多量の遊技球をドル箱と称される遊技球箱に排出した際に下受け皿３２から排出された遊技球によって遊技球箱が帯電することはなくなるので、かかる静電気の放電によって遊技客に不快感を与えることは防止できる。」
　キ．「【００３１】図１１に示すように、上受け皿３０を含む上皿部材１４０および下受け皿３２を含む下皿部材１４２は、ビス止めにて心部材１３２に接合されている。また心部材１３２の裏面側には裏板１４４がビス止めされている。なお、これら心部材１３２、上皿部材１４０、下皿部材１４２および裏板１４４は、玉落しボタン１２２や玉抜きレバー１３６に内蔵されているばね（図示略）、各部材の連結に用いられているビス（図示略）等の微小な金属部品を除いて、すべてプラスチック製である。
【００３２】図７および図１１に示すように、裏板１４４には上皿排出口３６を貫通収容する貫通穴１４６が設けられており、上皿排出口３６は、この貫通穴１４６を経て裏盤４８の賞球排出路１４８と連通している。また裏盤４８には、上受け皿３０が満杯となった際に賞球を下受け皿３２側へ排出するためのオーバーフロー通路１５０が設けられており、このオーバーフロー通路１５０は、裏板１４４に装着されたバイパス部材１５２の入口１５２ａに連通している。
【００３３】図１１および図１２に示すように、バイパス部材１５２下部の凸状部１５４に対応して、裏板１４４には下受け皿３２の下皿排出口３８に通ずる開口１５６が設けられている。また、バイパス部材１５２の凸状部１５４の斜め上方には、発射装置５６から発射されて遊技領域２０に到達できなかった遊技球を回収して下受け皿３２へ導くためのファール球受口１５８が設けられている。」
　ク．「【００４０】以上、実施例について説明したが、本発明はこのような実施例に限定されるものではなく、本発明の用紙を逸脱しない範囲でさまざまに実施できる。例えば上記実施例では下受け皿のプール状部の内周面を導電性プラスチック製としているが、プール状部の底面のみを導電性プラスチック製としてこれを接地すれば同様の除電効果が得られる。あるいは、下皿部材のほぼ全体や皿部材のほぼ全体を導電性プラスチック製としてもよい。このように下受け皿を含む比較的大きな部材を導電性プラスチック製とすると、このような部材からの空中放電量が多くなるので上述の除電効果が一層良好となる。この場合、十分な空中放電が得られる構造とすれば、島を介しての接地は必ずしも必要としない。」
　
　以上の記載事項ア〜クを参酌すると、引用例１には次の発明（以下、「引用発明１」という）が記載されているものと認められる。
　
　「遊技機設置島に設置する本体枠４４に裏盤４８が装着され、遊技盤１２は裏盤４８に保持され、遊技盤１２の前面側は前面枠２２に保持されたガラス枠１４に装着された二重のガラス１６ａ、１６ｂで覆われており、前面枠２２の下方には、ほぼ全体がプラスチック製で、上受け皿３０および下受け皿３２が一体的に設けられた皿部材３４が配され、上受け皿３０が満杯となった際に賞球を下受け皿３２側へ排出し、下受け皿３２には遊技球を貯留するための略矩形のプール状部３２ａが設けられており、プール状部３２ａの底部には玉抜き穴１３４が設けられており、玉抜きレバー１３６を介して開閉操作され、開いた際には下受け皿３２の遊技球を玉抜き穴１３４から排出でき、裏盤４８には、上受け皿３０が満杯となった際に賞球を下受け皿３２側へ排出するためのオーバーフロー通路１５０が設けられており、このオーバーフロー通路１５０は、裏板１４４に装着されたバイパス部材１５２の入口１５２ａに連通し、上受け皿３０を含む上皿部材１４０および下受け皿３２を含む下皿部材１４２は、ビス止めにて皿部材３４の心材として機能する心部材１３２に接合され、心部材１３２の裏面側には裏板１４４がビス止めされ、バイパス部材１５２下部の凸状部１５４に対応して、裏板１４４には下受け皿３２の下皿排出口３８に通ずる開口１５６が設けられ、下受け皿３２に設けられたプール状部３２ａの内周面３２ｂは導電性プラスチック製であり、この内周面３２ｂにはアース部材が装着されており、このアース部材を島に設けられているアース線と接続することにより内周面３２ｂを接地して遊技球の静電気を除電するパチンコ機１０。」
　
　また、原査定の拒絶の理由に引用された実願平２−６２１８３号（実開平４−２０３９０号）のマイクロフィルム（以下、「引用例２」という）には、図面とともに、以下の事項が記載されている。
　
　ａ．「アース線の接続はパチンコ機内部のいずれかの金属部分（導電部）になるが、その対象として例えば遊技板を収めるため備えられる箱形の金属製枠体や、ガラスを収めるガラス金枠等が適当である。尚、アース線をこれら金属部分に直接接続する場合のほか、賞球下皿に放出賞球を誘導する連絡樋内部に備えるアース金属板に接続し、このアース金属板を介して上記部分に接続するようにしてもよい。」（明細書第７頁第５〜１３行）
　ｂ．「アース線の自由端を球箱の内部に垂らして賞球に接触させるため球の落下によって静電気が発生したとき、このアース線を通して導電部に放電されることになる。」（明細書第７頁１７〜２０行）
　ｃ．「前枠２の背面には金属板で浅い箱形に形成した枠体７が取付けてあり、内部に遊技板８を着脱自由に収められるようにしてあり、・・・」（明細書第８頁第１５〜１７行）
　ｄ．「ところで、アース線16は一端を巻取プーリ15の円周面に形成する溝に固定し、これに巻付け、他端をケース24の周壁の一部を切欠いて設けた口部33から外に出るようにしてある。そして、このアース線は巻取プーリ15、回転軸28、ケース24とを介して固定アース線34に接続され、この固定アース線を通して更にパチンコ機内部の導電部材、例えば前記金属板製の枠体７、或はガラス金枠３等に接続される。」（明細書第１２頁第７〜１５行）
　
　以上の記載事項ａ〜ｄを参酌すると、引用例２には次の発明（以下、「引用発明２」という）が記載されているものと認められる。
　
　「アース線の自由端を球箱の内部に垂らし、このアース線を固定アース線３４に接続し、この固定アース線を通して賞球下皿に放出賞球を誘導する連絡樋内部に備えるアース金属板に接続し、このアース金属板を介して、前枠２の背面に取付けてある、内部に遊技板８を着脱自由に収められるようにした金属板で浅い箱形に形成した枠体７に接続し、球の落下によって静電気が発生したとき、このアース線を通して導電部に放電されるパチンコ機の静電気帯電防止装置。」
　
　さらに、原査定の拒絶の理由に引用された特開平６−１９８０５３号公報（以下、「引用例３」という）には、以下の事項が記載されている。
　
　ｉ．「【００４０】［下の球受け皿Ｇ］下の球受け皿Ｇは、図６、図１９、図２０、図４５、及び図４６に示すように、その基本的な構成として外枠Ａの前面に整合位置するセット支板１９１と、このセット支板１９１の前方に整合位置する外郭枠体１９３と、この両者１９１，１９３間に整合位置する皿本体１９７が組み付けられて全体が１つのユニット皿として構成されており、そして、外枠Ａの支持枠盤４前面に合わせて装着セットされている。・・・」
　ii．「【００６８】前述の球受け容器３２７については、図６、図２０、及び図６０に示すように、外枠Ａの支持枠盤４の裏面中央部において、前記セット口７、具体的には下の球受け皿Ｇの球出口１９２に整合して取着セットされて・・・」
　
（３）対比
　本願補正発明と引用発明１を比較する。
　引用発明１の「遊技機設置島」は本願補正発明の「パチンコ店の島」に相当し、以下同様に、「本体枠４４」は「機枠」に、「遊技盤１２」は「遊技盤」に、「前面枠２２」は「前枠」に、「上皿部材１４０」は「上皿セット」に、「下皿部材１４２」は「下皿セット」に、「賞球」及び「遊技球」は「玉」に、「玉抜き穴１３４」は「落下孔」に、「パチンコ機１０」は「遊技機」にそれぞれ相当し、さらに以下のことが言える。
　引用発明１の「裏盤４８」は、「遊技盤１２」を保持するものであり、「遊技盤１２の前面側」に「前面枠２２」があることから、本願補正発明における、「前枠の裏面」に設けられた「遊技盤を装着する」「リヤープレート」に対応する。
　引用発明１の「上受け皿３０および下受け皿３２が一体的に設けられた皿部材３４が配され、上受け皿３０が満杯となった際に賞球を下受け皿３２側へ排出し、下受け皿３２には遊技球を貯留するための略矩形のプール状部３２ａが設けられており」なる事項について、「上受け皿３０」は本願補正発明と同様に「発射する玉および賞球払出機構より払い出される玉を玉収容部に貯留する」ものであることは明らかであり、「下受け皿３２」に設けられた「略矩形のプール状部３２ａ」は、「上受け皿３０が満杯となった際に・・・受け皿３２側へ排出し」た遊技球を貯留するためのものであるから、本願補正発明の「上皿セットの玉収容部より溢れた玉を玉収容部に貯留する」事項に対応する。
　引用発明１の「プール状部３２ａの底部には玉抜き穴１３４が設けられており、玉抜きレバー１３６を介して開閉操作され、開いた際には下受け皿３２の遊技球を玉抜き穴１３４から排出でき」なる事項において、玉抜きレバー１３６を介して開閉操作される何らかの部材が備えられていることは自明であり、該部材が本願補正発明の「シャッター」に対応するから、引用発明１は、本願補正発明の「玉収容部に貯留された玉をシャッターの開動作で玉収容部より外部に排出する」事項を実質的に備えている。
　引用発明１の「裏盤４８には、上受け皿３０が満杯となった際に賞球を下受け皿３２側へ排出するためのオーバーフロー通路１５０が設けられており、このオーバーフロー通路１５０は、裏板１４４に装着されたバイパス部材１５２の入口１５２ａに連通し、・・・バイパス部材１５２下部の凸状部１５４に対応して、裏板１４４には下受け皿３２の下皿排出口３８に通ずる開口１５６が設けられ」なる事項において、「裏板１４４」及び「バイパス部材１５２」から成る構成は、上受け皿３０が満杯となった際に賞球を下受け皿３２側へ排出するためのオーバーフロー通路１５０と連通するものであり、下皿排出口３８に通ずる開口１５６が設けられていることから、本願補正発明の「上皿セットの玉収容部より溢れた玉を下皿セットの玉収容部に誘導する流しセット」に対応するものである。また、「バイパス部材１５２の入口１５２ａ」は本願補正発明の「流しセットの上面」に設けられた「上皿セットから溢れた玉を取り込む玉流入口部」に対応するものであり、「下受け皿３２の下皿排出口３８」は同じく「下皿セットが流しセットから誘導される玉を受け入れる玉流入口部」に対応する。
　引用発明１の「下受け皿３２に設けられたプール状部３２ａの内周面３２ｂは導電性プラスチック製であり」なる事項について、「下受け皿３２に設けられたプール状部３２ａ」は本願補正発明の「下皿セットにおける玉収容部」に相当し、「導電性プラスチック製」であるとは「導電性の合成樹脂により形成され」たものであることと実質的に等しい。また、引用発明１では、「上受け皿３０および下受け皿３２が一体的に設けられた皿部材３４」の「ほぼ全体がプラスチック製」であり、「下受け皿３２に設けられたプール状部３２ａ」以外の部分、すなわち本願補正発明の「下皿セットにおける玉収容部以外の部分」に対応する部分が「絶縁性の有る合成樹脂」により形成されていると言うことができる。さらに、引用発明１の「プール状部３２ａ」（本願補正発明の「下皿セットの玉収容部」に相当する）が「底部とその周縁より立ち上げる下側周壁」を有することは、引用例の第１０図等から明らかである。
　引用発明１の「パチンコ機１０」は、「アース部材を島に設けられているアース線と接続することにより内周面３２ｂを接地して遊技球の静電気を除電する」ものであるから、「遊技機の帯電防止装置」を備えていると言うことができる。
　
　したがって、両者は、
　「パチンコ店の島に取り付けられる機枠における前枠の裏面には遊技盤を装着するリヤープレートが設けられ、発射する玉および賞球払出機構より払い出される玉を玉収容部に貯留する上皿セットと上皿セットの玉収容部より溢れた玉を玉収容部に貯留すると共に当該玉収容部に貯留された玉をシャッターの開動作で玉収容部より外部に排出する下皿セットとが設けられ、上皿セットの玉収容部より溢れた玉を下皿セットの玉収容部に誘導する流しセットが設けられた遊技機の帯電防止装置であって、下皿セットが流しセットから誘導される玉を受け入れる玉流入口部を有し、玉収容部の底部とその周縁より立ち上げる下側周壁と上記玉収容部に貯留された玉をシャッターの開動作で玉収容部より外部に排出する落下孔とを有し、下皿セットにおける玉収容部が導電性の合成樹脂により形成され、下皿セットにおける玉収容部以外の部分が絶縁性の有る合成樹脂により形成され、流しセットの上面には上皿セットから溢れた玉を取り込む玉流入口部を備えた遊技機の帯電防止装置。」
で一致し、以下の点で相違する。
　
（相違点１）
　遊技盤を装着するリヤープレートが、本願補正発明では金属製であるのに対して、引用発明１ではその素材が明らかでない点。
　
（相違点２）
　本願補正発明では、前枠の前側に上皿セットと下皿セットが設けられ、前枠の裏面に流しセットが設けられ、前枠の下側前壁には貫通口が設けられ、流しセットの前面には下皿セットの玉流入口部に玉を排出する玉排出口部を前側に膨出し、下皿セットおよび流しセットが前枠に取り付けられる場合、下皿セットの玉流入口部が前枠の貫通口に前面より挿入されると共に下皿セットのベースが前枠の下側前壁の前面に取り付けられ、流しセットの玉排出口部が前枠の貫通口に裏面より挿入されて下皿セットの玉流入口部の上に重ね合わせられて玉流入口部に接続されるのに対して、引用発明１では、上皿セット（上皿部材１４０）、下皿セット（下皿部材１４２）及び流しセット（「裏板１４４」及び「バイパス部材１５２」から成る構成）は、前枠（前面枠２２）の下方に配された心部材１３２の前側に上皿セットと下皿セットが設けられ、心部材１３２の裏面に流しセットが設けられており、また、各セットの取り付け及び接続の具体的態様が明らかでない点。
　
（相違点３）
　本願補正発明では、下皿セットは長方形のベースとベースの前側に取り付けられたメインとメインに取り付けられたサブとから構成され、サブが玉収容部の上下と後方とに開口した上側周壁を有しているのに対して、引用発明では、下皿セット（下皿部材１４２）がベースとメインとサブとからなる構成を有しているか明らかでない点。
　
（相違点４）
　下皿セットにおける玉収容部が導電性の合成樹脂により形成された構成に加えて、本願補正発明では、下皿セットにおける玉流入口部と流しセットも導電性の合成樹脂により形成されており、流しセットがリヤープレートに導電性を有するねじで取り付けられるのに対して、引用発明１では、かかる構成を備えておらず、しかも、本願補正発明では、流しセットを形成する導電性の合成樹脂が熱可塑性であり、下皿セットにおける玉流入口部および玉収容部を形成する導電性の合成樹脂は熱可塑性かつ炭素非含有であるのに対して、引用発明１では、導電性の合成樹脂が熱可塑性であるか明らかでなく、炭素非含有であるかも明らかでない点。
　
（４）判断
　まず、上記相違点１及び４について、まとめて検討する
　引用発明２において、「賞球下皿」は本願補正発明の「下皿セットにおける玉収容部」に相当し、以下同様に「放出賞球」は「玉」に、「前枠２」は「前枠」に、「背面」は「裏面」に、「着脱自由に収められるようにした」は「装着する」に、「遊技板８」は「遊技盤」に、「金属板で浅い箱形に形成した枠体７」は「金属製のリヤープレート」に、「パチンコ機」は「遊技機」に、「静電気帯電防止装置」は「帯電防止装置」にそれぞれ相当する。さらに、引用例２の第１図を参照すると、引用発明２の「賞球下皿に放出賞球を誘導する連絡樋」が本願補正発明の「流しセット」に対応することは明らかである。よって、引用発明２は、前枠の裏面に遊技盤を装着する「金属製」のリヤープレートが設けられたものであり、下皿セットの玉収容部近傍に発生した静電気を「固定アース線」「流しセットに備えたアース金属板」と「リヤープレート」とを接続して放電する帯電防止装置であると言える。
　引用発明１及び引用発明２は、何れも遊技機の帯電防止装置に関するものであるから、引用発明１に引用発明２を適用して、リヤープレートを金属製とすること、すなわち上記相違点１にかかる本願補正発明の構成とすることは、当業者であれば容易に想到しえるものである。
　また、同様の理由により、下皿セットの玉収容部近傍に発生した静電気を金属製のリヤープレートから放電することを目的として、引用発明１に引用発明２を適用し、導電性の合成樹脂により形成された下皿セットの玉収容部から、固定アース線と流しセットに備えたアース金属板を介してリヤープレートに接続するように構成することは、当業者にとっては容易に想到しえるものである。そして、その適用の際、固定アース線と流しセットに備えたアース金属板によって導電性を確保する技術に代えて、下皿セットにおける玉流入口部及び流しセットのそれぞれを、引用発明１の下皿セットの玉収容部と同様に、導電性の合成樹脂により形成する技術を採用することは、当業者にとって適宜採用しえる程度の設計的事項にすぎない。また、流しセットがリヤープレートに導電性を有するねじで取り付けられる点は、導電性を有するねじを利用して接地する技術が、例えば、実公平４−３３９０２号公報に示されるとおり（「ねじ棒４」等により導電性材が構成されている）、従来周知の技術であることから、当業者であれば適宜採用しえる程度の設計的事項にすぎない。さらに、流しセットを形成する導電性の合成樹脂が熱可塑性であり、下皿セットにおける玉流入口部および玉収容部を形成する導電性の合成樹脂が熱可塑性かつ炭素非含有である点については、例えば、原査定の拒絶の理由に引用された特開平５−２５３２３号公報に示されるとおり、導電性の合成樹脂として熱可塑性かつ炭素非含有のものが従来周知であることから、必要に応じて材料を選択したにすぎず、当業者にとっては設計的事項である。
　よって、上記相違点４にかかる本願補正発明の構成は、当業者であれば容易に想到しえるものである。
　
　次に、上記相違点２及び３について、まとめて検討する。
　上記引用文献３の摘示事項ii（２（２）ii参照）において、「球受け容器３２７」「外枠Ａ」「セット口７」「下の球受け皿Ｇ」「球出口１９２」は、それぞれ本願補正発明の「流しセット」「前枠」「貫通口」「下皿セット」「下皿セットの玉流入口部」に相当し、同文献の図２０にＦで示される「上の球受け皿」は本願補正発明の「上皿セット」に相当する。そして、該摘示事項ii及び図２０を参照すれば、引用文献３には、本願補正発明の上記相違点２にかかる「前枠の前側に上皿セットと下皿セットが設けられ、前枠の裏面に流しセットが設けられ、前枠の下側前壁には貫通口が設けられ、流しセットの前面には下皿セットの玉流入口部に玉を排出する玉排出口部を前側に膨出し、下皿セットおよび流しセットが前枠に取り付けられる場合、下皿セットの玉流入口部が前枠の貫通口に前面より挿入されると共に下皿セットのベースが前枠の下側前壁の前面に取り付けられ、流しセットの玉排出口部が前枠の貫通口に裏面より挿入されて下皿セットの玉流入口部の上に重ね合わせられて玉流入口部に接続される」技術事項が開示されている。
　また、上記引用文献３の摘示事項ｉ（２（２）ｉ参照）において、「セット支板１９１」「外郭枠体１９３」「皿本体１９７」は、それぞれ本願補正発明の「ベース」「サブ」「メイン」に相当する。そして、該摘示事項ｉ及び図４５を参照すれば、引用文献３には、本願補正発明の上記相違点３にかかる「上皿セットは長方形のベースとベースの前側に取り付けられたメインとメインに取り付けられたサブとから構成され、サブが玉収容部の上下と後方とに開口した上側周壁を有している」技術事項が開示されている。
　そして、引用文献３に記載された上記２つの技術事項は、遊技機の一般的な構造を開示したものと認められ、これらの技術事項を引用発明１に適用して、上記相違点２及び３にかかる本願補正発明を構成することは、当業者にとっては容易に想到しえるものである。
　
　また、本願補正発明の作用効果も引用発明１、引用発明２、引用文献３に記載された技術事項及び上記周知技術から当業者が予測できる範囲のものである。
　
　したがって、本願補正発明は、引用発明１、引用発明２、引用文献３に記載された技術事項及び上記周知技術に基づいて当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するものであり、特許法第１５９条第１項の規定において読み替えて準用する同法第５３条第１項の規定により却下すべきものである。
　
３　本願発明について
（１）本願発明
　平成１６年１１月２日付の手続補正は上記のとおり却下されたので、本願の請求項１及び２に係る発明は、平成１６年４月１６日付手続補正書の請求項１及び２に記載された事項により特定されるとおりのものであり、その請求項１に係る発明（以下、「本願発明」という）は、次のとおりのものである。
　
　「パチンコ店の島に取り付けられる機枠における前枠の裏面には遊技盤を装着する金属製のリヤープレートが設けられ、前枠の前側には発射する玉および賞球払出機構より払い出される玉を玉収容部に貯留する上皿セットと下皿セットの玉収容部より溢れた玉を玉収容部に貯留すると共に当該玉収容部に貯留された玉をシャッターの開動作で玉収容部より外部に排出する下皿セットとが設けられ、前枠の裏面には上皿セットの玉収容部より溢れた玉を下皿セットの玉収容部に誘導する流しセットが設けられた遊技機の帯電防止装置であって、前枠の下側前壁には貫通口が設けられ、下皿セットは長方形のベースとベースの前側に取り付けられたメインとメインに取り付けられたサブとから構成され、下皿セットのベースが流しセットから誘導される玉を受け入れる玉流入口部を有し、メインが玉収容部の底部とその周縁より立ち上げる下側周壁と上記玉収容部に貯留された玉をシャッターの開動作で玉収容部より外部に排出する落下孔とを有し、サブが玉収容部の上下と後方とに開口した上側周壁を有し、下皿セットにおけるベースの玉流入口部およびメインの球収容部が炭素非含有導電性の熱可塑性合成樹脂により形成され、下皿セットにおけるベースの玉流入口部およびメインの球収容部以外の部分が絶縁性の有る合成樹脂により形成され、流しセットは導電性の熱可塑性合成樹脂により形成され、流しセットの上面には上皿セットから溢れた玉を取り込む玉流入口部を備え、流しセットの前面には下皿セットの玉流入口部に球を排出する玉排出口部を前側に膨出し、下皿セットおよび流しセットが前枠に取り付けられる場合、下皿セットの玉流入口部が前枠の貫通口に前面より挿入されると共に下皿セットのベースが前枠の下側前壁の前面に取り付けられ、流しセットの玉排出口部が前枠の貫通口に裏面より挿入されて下皿セットの玉流入口部に接続されると共に流しセットがリヤープレートに導電性を有するねじで取り付けられたことを特徴とする遊技機の帯電防止装置。」
　
（２）引用例
　原査定の拒絶の理由に引用された引用例、及び、その記載事項は、前記２（２）に記載したとおりである。
　
（３）対比・判断
　本願発明は、前記２で検討した本願補正発明から「流しセットの玉排出口部が・・・下皿セットの玉流入口部に接続され」との発明特定事項について、「流しセットの玉排出口部が・・・下皿セットの玉流入口部
の上に重ね合わせられて玉流入口部
　そうすると、本願発明の構成要件を全て含み、さらに上記限定事項を付加したものに相当する本願補正発明が、前記２（４）に記載したとおり、引用発明１、引用発明２、引用文献３に記載された技術事項及び周知技術に基づいて当業者が容易に発明をすることができたものであるから、本願発明も引用発明１、引用発明２、引用文献３に記載された技術事項及び周知技術に基づいて容易に発明をすることができたものである。
　
（４）むすび
　以上のとおり、本願発明は、引用発明１、引用発明２、引用文献３に記載された技術事項及び周知技術に基づいて当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。